(57)【特許請求の範囲】
【請求項１】
垂直配管部と水平配管部を有する除染対象配管内に化学除染装置本体から除染液を流入し循環させて化学除染する系統配管の化学除染装置において、
前記垂直配管と前記水平配管とにそれぞれ取合フランジを接続し、これらの取合フランジにそれぞれ循環配管を接続し、これらの循環配管に化学除染装置本体を接続して前記除染対象配管と前記化学除染装置本体との間を除染液が循環する化学除染液循環系統を構成するとともに、この化学除染装置本体の出口側循環配管に分岐取合を接続し、この分岐取合に散水用ポンプを接続し、この散水用ポンプの出口側に散水ホースの一端を接続し、この散水ホースの他端に前記垂直配管側の取合フランジを貫通して前記垂直配管内に挿入する洗浄ノズルを設けて前記除染対象配管内に前記洗浄ノズルを走査させて化学除染を行う化学除染系統を構成してなることを特徴とする系統配管の化学除染装置。
【請求項２】
垂直配管と水平配管を有する除染対象配管に化学除染装置本体から化学除染液を散水する洗浄ノズルを挿入し、前記除染対象配管の一部分に前記化学除染装置本体との間で前記化学除染液の循環系統を構成して前記化学除染液を前記除染対象配管の一部分と前記化学除染装置本体との間で循環させながら、他方で前記洗浄ノズルにより前記化学除染液を散水することで前記除染対象配管の全領域を除染することを特徴とする請求項１記載の系統配管の化学除染装置を使用した系統配管の化学除染方法。
【請求項３】
前記除染対象配管と前記化学除染液循環系統を構成している除染液循環ラインに化学除染装置本体から化学除染液を放水して除染液を攪拌させる洗浄ノズルを挿入することを特徴とする請求項２記載の系統配管の化学除染方法。
【発明の詳細な説明】
【０００１】
【発明の属する技術分野】
本発明は取外し等が困難な系統を構成する配管を設置されている状態のままの状態で除染する系統配管の化学除染装置およびその化学除染方法に関する。
【０００２】
【従来の技術】
除染対象とする系統配管を機器等から取外さないで化学除染する場合は、その系統配管に除染液を流して循環させる循環ループを接続し、その系統配管に除染液を循環して化学除染を行うのが一般的である。
【０００３】
従来の循環ループを構成した系統配管の化学除染方法を図４により説明する。図４において、符号１は除染液を収納するタンク、このタンクに接続する循環ポンプ等の機器配管で構成される化学除染装置本体で、この化学除染装置本体１はタンク（図示せず）の入口側と出口側にそれぞれ循環配管２が接続し、これらの循環配管２は除染対象配管４に取合フランジ３を介して接続されている。
【０００４】
化学除染装置本体１と除染対象配管４との間は循環配管２を介して除染液循環ループを構成している。除染対象配管４は垂直配管４ａと水平配管４ｂとからなり、この水平配管４ｂは止め弁５で堰き止められている。
【０００５】
化学除染の方法は化学除染装置本体１から除染対象配管４の全領域に除染液６を満たして、取合フランジ３とで循環配管２を介して循環ループ構成している化学除染装置本体１で、除染対象配管４を循環し化学除染を行う。
【０００６】
ところで、除染対象配管４の水平配管部にはエア溜まり７のため除染液６が満たされない箇所が生じる。化学除染終了後は、除染液を化学除染装置本体１から排出するが、除染対象配管４の水平配管４ｂ部には排出できない残留クラッド８が溜まる。また、除染液６が十分に循環できない取合フランジ３から上方の除染対象配管４は除染効果が極めて良くない。
【０００７】
【発明が解決しようとする課題】
従来の系統配管の化学除染方法は、図４から明らかなように、垂直配管４ａに設けた取合フランジ３から上方の垂直配管４ａ、とくに循環ラインの取合フランジ３から上方の遠い部分では除染効果が低下する。また、水平配管４ｂ部分には、エア溜まり７による未除染部分が発生したり、除染液を排出後には残留クラッド９が溜まるという課題がある。
【０００８】
さらに、除染を効率的に行うには、除染対象配管４内面に除染液６十分浸すことができればよいのであるが、従来の方法では、それを行うためには、除染対象配管４全体の除染液６を満たす必要がある。そのために除染液６を多量に必要とし、また非除染対象部に除染液６を浸さないためには、その境目での水位コントロールが必要である。したがって、除染液水位の制御設備と多量の除染廃液の処理に作業時間の増大と除染設備が大きくなるという課題がある。
【０００９】
本発明は、上記課題を解決するためになされたもので、除染対象配管の全領域に除染液を満たす必要がなく、除染対象配管の内面に除染液を散水できるようにして、少ない除染液で効率的に化学除染でき、しかも、水平配管部にエア溜まりを生じることがない系統配管の化学除染装置およびその化学除染方法を提供することにある。
【００１０】
【課題を解決するための手段】
請求項１の発明は、垂直配管部と水平配管部を有する除染対象配管内に化学除染装置本体から除染液を流入し循環させて化学除染する系統配管の化学除染装置において、
前記垂直配管と前記水平配管とにそれぞれ取合フランジを接続し、これらの取合フランジにそれぞれ循環配管を接続し、これらの循環配管に化学除染装置本体を接続して前記除染対象配管と前記化学除染装置本体との間を除染液が循環する化学除染液循環系統を構成するとともに、この化学除染装置本体の出口側循環配管に分岐取合を接続し、この分岐取合に散水用ポンプを接続し、この散水用ポンプの出口側に散水ホースの一端を接続し、この散水ホースの他端に前記垂直配管側の取合フランジを貫通して前記垂直配管内に挿入する洗浄ノズルを設けて前記除染対象配管内に前記洗浄ノズルを走査させて化学除染を行う化学除染系統を構成してなることを特徴とする。
【００１１】
請求項２の発明は、垂直配管と水平配管を有する除染対象配管に化学除染装置本体から化学除染液を散水する洗浄ノズルを挿入し、前記除染対象配管の一部分に前記化学除染装置本体との間で前記化学除染液の循環系統を構成して前記化学除染液を前記除染対象配管の一部分と前記化学除染装置本体との間で循環させながら、他方で前記洗浄ノズルにより前記化学除染液を散水することで前記除染対象配管の全領域を除染することことを特徴とする。
【００１２】
請求項３の発明は、前記除染対象配管と前記化学除染液循環系統を構成している除染液循環ラインに化学除染装置本体から化学除染液を放水して除染液を攪拌させる洗浄ノズルを挿入することを特徴とする。
【００１５】
【発明の実施の形態】
図１により本発明に係る系統配管の化学除染方法の第１の実施の形態を説明する。なお、図１中、図４と同一部分には同一符号を付している。
除染対象配管４は垂直配管４ａと水平配管４ｂとからなり、水平配管４ｂの端部は止め弁５で仕切られている。除染する対象部位は止め弁５から垂直配管４ａの上方までであり、化学除染装置本体１と取合う箇所は除染対象配管４の水平配管４ｂと垂直配管４ａの途中に取合フランジ３が２箇所設けられている。垂直配管４ａの取合フランジ３には別に取合３ａが設けられている。
【００１６】
化学除染装置本体１の構成機器については、図１では詳細を省略しているが、除染液収納タンク，循環ポンプ，除染剤注入機器，熱交換機，廃液処理するフィルタ・イオン交換樹脂塔や配管機器等で構成されている。
【００１７】
化学除染装置本体１の入口側および出口側にはそれぞれ循環配管２が接続し、除染対象配管４に設けた取合フランジ３で取合い、除染対象配管４と化学除染装置本体１との間には化学除染液循環ループを構成している。
【００１８】
化学除染装置本体１の除染液出口側の循環配管２に分岐取合い13が設けられ、この分岐取合い13に散水用ポンプ10がポンプ用配管９を介して接続されており、散水用ポンプ10の出口側のポンプ用配管９には散水ノズル12を取付けた散水ホース11が接続され、化学除染系統を構成している。
【００１９】
取合い３ａから除染対象配管４内部に散水ホース11とともに洗浄ノズル12を挿入し、除染対象配管４の垂直配管４ａ部位の除染範囲まで散水しながら走査（移動）し、除染する。除染中、洗浄ノズル12は散水ジェットの反力で除染対象配管４の除染範囲の境で静止して散水している。
【００２０】
取合い３ａは洗浄ノズル12と散水ホース11と化学除染装置本体１の循環配管２を通過できる貫通孔を有するフランジである。散水によるダストや飛沫が飛散するのを防止するために取合い３ａには、ビニールカバー等のカバーを取付けることができるように構成することが望ましい。このビニールカバー等の飛散防止の取り付けは一般的に通常行うことができるものなので図１では省略している。
【００２１】
除染対象配管４全体の化学除染方法は、垂直配管４ａ内部の上方の除染範囲の境まで挿入された洗浄ノズル12から除染液を散水して、上方の垂直配管４ａ内面から下方の水平配管４ｂ内面まで除染液が垂直配管４ａの内面をつたわりながら垂直配管４ａ内面を除染する（化学除染系統）。
【００２２】
除染の水位は取合い３ａから下方の▽印を付した水位であり、水位（▽印）下まで挿入された化学除染装置本体１の出口側循環配管２と除染対象配管４の水平配管４ｂ部での取合フランジ３とで接続された化学除染装置本体１の入口側循環配管２で、化学除染装置本体１と除染対象配管４の水平配管４ｂで除染液循環系統が構成されている。これにより、垂直配管４ａの下部と水平配管４ｂとの間を循環により化学除染を行うことができる。
【００２３】
本実施の形態によれば、除染対象配管４の垂直配管４ａ上方の洗浄ノズル12から配管内面をつたわって落ちてきた除染液６は、この除染液６部に流下し、前記除染液循環系統で循環され、化学除染装置本体１で処理される。このようにして除染液を除染対象配管４の垂直配管４ａまで満水にすることなく除染しようとする化学除染系統によって除染対象配管４内の全領域を少ない除染液量で化学除染することができる。
【００２４】
つぎに、図２により本発明に係る系統配管の化学除染方法の第２の実施の形態を説明する。
図２における第２の実施の形態は、除染対象配管４の水平配管４ｂ部に発生するエア溜まり７による未除染部分と残留クラッド８の除染を対象とするものである。図２中、図１と同一部分には同一符号を付して重複する部分の説明は省略する。
【００２５】
すなわち、本実施の形態は図２に示したように洗浄ノズル12を除染対象配管４の水平配管４ｂ内の止め弁５の近傍に移動して除染対象配管４内を循環している除染液６中に挿入する。そして、洗浄ノズル12を水平配管４ｂ内部の前後に移動させ走査（移動）する。
【００２６】
洗浄ノズル12の移動は、洗浄ノズル12の後方へ噴射するジェット水の反力で前方に自走し、後方へ移動する場合は、その反力より大きな力で散水ホース11を引く。洗浄ノズル12で除染液を散水しながら、散水ホース11を引いたり離したりすることで、水平配管４ｂ内面を前後に移動する。
【００２７】
本実施の形態によれば、洗浄ノズル12により除染液を放水しながら水平配管４ｂの除染液６を撹拌し、エア溜まり７で未除染部位である水平配管４ｂ上部の部位を散水し、除染液６に浸して除染を行うことができる。また、水平配管４ｂ底部に溜まっている残留クラッド８を撹拌して移動させ、化学除染装置本体１に接続している取合フランジ３の方へ排出させることができる。
【００２８】
つぎに、図３により本発明に係る系統配管の化学除染方法の第３の実施の形態を説明する。
本実施の形態は除染対象配管４の内部に除染液６を満たさないで、ほとんど気中で除染する場合の例である。すなわち、図３に示したように、洗浄ノズル12を除染対象配管４の垂直配管４ａと水平配管４ｂの内部を走査させ内面に除染液を浸すことで除染を行う。
【００２９】
本実施の形態によれば、除染後の除染対象配管４内面の水によるフラッシング方法としても有効である。その他については第１および第２の実施の形態と同様の作用効果を奏する。
【００３０】
【発明の効果】
本発明によれば、除染対象配管の全領域に除染液を満たすことなく、少ない除染液量で除染対象配管全部を除染することができ、また水平配管部位にエア溜まりによる未除染部位やクラッド溜まりを解消することができるので、効率的に系統配管の化学除染を行うことができる。
【図面の簡単な説明】
【図１】本発明に係る系統配管の化学除染装置とその化学除染方法の第１の実施の形態を説明するための配管系統図。
【図２】本発明に係る系統配管の化学除染装置とその化学除染方法の第２の実施の形態を説明するための配管系統図。
【図３】本発明に係る系統配管の化学除染装置とその化学除染方法の第３の実施の形態を説明するための配管系統図。
【図４】従来の系統配管の化学除染装置を説明するための配管系統図。
【符号の説明】
１…化学除染装置本体、２…循環配管、３…取合フランジ、３ａ…取合い、４…除染対象配管、４ａ…垂直配管、４ｂ…水平配管、５…止め弁、６…除染液、７…エア溜まり、８…残留クラッド、９…ポンプ用配管、10…散水用ポンプ、11…散水ホース、12…洗浄ノズル、13…分岐取合い。
【図１】
0003910287.tif 000002
【図２】
0003910287.tif 000003
【図３】
0003910287.tif 000004
【図４】
0003910287.tif 000005